(57)【要約】【課題】片流れ屋根において十分な換気ができる棟換気構造を提供する。【解決手段】本発明は片流れ屋根の棟換気構造である。この棟換気構造は、野地板１３の棟側端部に設けられ建物内空間に通じる第一開口部１４と、破風下地板２の棟側端部に設けられ建物内空間に通じる第二開口部２１と、棟カバー７の屋根材１５側の端部に設けられ第一開口部１４に通じる第一換気口７５と、棟カバー７の破風板３側の端部に設けられ第二開口部２１に通じる第二換気口７６とを備えている。棟カバー７内に、第一開口部１４から前記第一換気口７５に向かって空気が流通する第一通気路８１と、第二開口部２１から前記第二換気口７６に向かって空気が流通する第二通気路８２とが設けられている。【選択図】図１
2015068095.tif 000002
【特許請求の範囲】
【請求項１】
野地板の棟側端部に破風下地板が設けられ、
前記野地板の上に屋根材が取り付けられ、且つ破風下地板に沿って破風板が取り付けられ、
前記屋根材と前記破風板とに重なるようにして棟カバーが取り付けられた片流れ屋根の棟換気構造であって、
前記野地板の棟側端部に設けられ建物内空間に通じる第一開口部と、
前記破風下地板の棟側端部に設けられ前記建物内空間に通じる第二開口部と、
前記棟カバーの屋根材側の端部に設けられ前記第一開口部に通じる第一換気口と、
前記棟カバーの破風板側の端部に設けられ前記第二開口部に通じる第二換気口と
を備え、
前記棟カバー内に、
前記第一開口部から前記第一換気口に向かって空気が流通する第一通気路と、
前記第二開口部から前記第二換気口に向かって空気が流通する第二通気路と
が設けられている
ことを特徴とする片流れ屋根の棟換気構造。
【発明の詳細な説明】
【技術分野】
【０００１】
本発明は、片流れ屋根の棟換気構造に関する。
【背景技術】
【０００２】
特許文献１には、従来の片流れ屋根の棟換気構造が開示されている。この特許文献１記載の片流れ屋根の換気構造は、野地板と、野地板上に設けられた屋根材と、化粧破風板と、屋根の棟側端部と化粧破風板の棟側端部とに跨って設けられる換気装置とを備えている。換気装置には、断面山形に形成された装置本体の屋根側の先端と屋根材との間に換気口（以下、屋根側換気口という）が設けられている。また、換気装置には、装置本体の壁側の先端と化粧破風板との間に換気口（以下、壁側換気口という）が設けられている。
【０００３】
野地板の棟側の端部には、連通孔が設けられている。この連通孔は、野地板を貫通し、これにより、屋内と換気装置の内部とを連通する。また、連通孔は、屋根側換気口と、壁側換気口との両方に連通している。これにより、特許文献１の換気構造は、屋内空間の空気を、連通孔を通して、屋根側換気口と壁側換気口とに流通させ、換気を行うように構成されている。
【先行技術文献】
【特許文献】
【０００４】
【特許文献１】特開２０１１−１２７３５９号公報
【発明の概要】
【発明が解決しようとする課題】
【０００５】
ところでこの従来の換気構造では、野地板に設けられた連通孔のみを介して、空気を室内空間から外部へと流通させている。このため、換気の流量を増やすためには、連通孔の開口面積を広げる必要がある。
【０００６】
しかしながら、この連通孔は、軒側に拡げると開口と屋根材とが重なってしまい、効果的に開口面積を拡げることができない。また、平棟に平行な方向に連通孔を拡げることも考えられるが、僅かに拡げることができるのみで、大きくは拡げることはできない。
【０００７】
本発明は、上記事情に鑑みてなされたものであり、その目的とするところは、片流れ屋根において十分な換気ができる棟換気構造を提供することにある。
【課題を解決するための手段】
【０００８】
本発明の片流れ屋根の棟換気構造は、野地板の棟側端部に破風下地板が設けられ、前記野地板の上に屋根材が取り付けられ、且つ破風下地板に沿って破風板が取り付けられ、前記屋根材と前記破風板とに重なるようにして棟カバーが取り付けられた片流れ屋根の棟換気構造であって、前記野地板の棟側端部に設けられ建物内空間に通じる第一開口部と、前記破風下地板の棟側端部に設けられ前記建物内空間に通じる第二開口部と、前記棟カバーの屋根材側の端部に設けられ前記第一開口部に通じる第一換気口と、前記棟カバーの破風板側の端部に設けられ前記第二開口部に通じる第二換気口とを備え、前記棟カバー内に、前記第一開口部から前記第一換気口に向かって空気が流通する第一通気路と、前記第二開口部から前記第二換気口に向かって空気が流通する第二通気路とが設けられていることを特徴とする。
【発明の効果】
【０００９】
本発明の片流れ屋根の棟換気構造によれば、野地板に加えて破風下地板にも開口部が設けられるため、建物内空間と外部との換気量を十分にとることができる。
【図面の簡単な説明】
【００１０】
【図１】本実施形態の片流れ屋根の棟換気構造の要部断面図である。
【図２】本実施形態の片流れ屋根の野地板および破風下地板を示す斜視図である。
【図３】本実施形態の片流れ屋根において屋根材を取り付けた状態の斜視図である。
【図４】本実施形態の片流れ屋根において水切り部を取り付けた状態の斜視図である。
【図５】本実施形態の片流れ屋根において棟カバーを取り付けた状態の斜視図である。
【発明を実施するための形態】
【００１１】
以下、本発明の実施形態について添付図面に基づいて説明する。
【００１２】
本実施形態の棟換気構造は、片流れ屋根の換気構造である。この棟換気構造は、図１に示すように、屋根１と、破風下地板２と、破風板３と、棟換気部４とを備えている。
【００１３】
屋根１は、上述のように片流れ屋根である。屋根１は、勾配を有しており、勾配方向の上流側の端部が棟、勾配方向の下流側の端部が軒として定義される。言い換えると、軒棟方向は屋根勾配方向に平行である。屋根１は、屋根下地１１と、屋根材１５とを備えている。
【００１４】
なお、本実施形態においては、屋根勾配方向の下流側の端部が建物の外壁面から突出していない屋根１においても、屋根勾配方向の下流側の端部を軒として定義する。
【００１５】
屋根下地１１は、垂木１２と、野地板１３とを備えている。野地板１３の棟側の端部には、図２に示すように、第一開口部１４が設けられている。
【００１６】
第一開口部１４は、野地板１３を貫通している。第一開口部１４は、建物内の空間（例えば、屋根裏空間や居住空間等が挙げられる。以下、建物内空間という）に通じている。第一開口部１４は、野地板１３の上縁から軒側に向かって矩形状に切り欠いて形成されている。第一開口部１４は、軒棟方向に幅を有し、軒棟方向とは直角な方向（以下、棟方向）に長さを有している。
【００１７】
屋根材１５は、例えば、折板屋根材や、棟方向に凹部と凸部とが繰り返し形成された凹凸屋根材などの金属屋根によって構成される。屋根材１５は、軒棟方向に長さを有し、棟方向に幅を有している。屋根材１５の長さは、軒棟方向の全長に亘って連続している。屋根材１５は、幅方向に並ぶように複数配置されている。なお、本実施形態の屋根材１５は、金属製の凹凸屋根材である。
【００１８】
屋根材１５の凸部は、棟側の端部が開口しており、軒側の端部が、軒下に開口した軒下開口部（図示せず）に通じている。凸部の内部は空所となっており、棟側の開口と軒下開口部とを通じさせる。
【００１９】
野地板１３の棟側の端部には、図１，２に示すように、破風下地板２が設けられている。破風下地板２は、破風板３の下地となる部材である。破風下地板２は、野地板１３と垂木１２の棟側の端部に固定され、外壁９１の上端面に載設されている。破風下地板２は、上下方向に幅を有し、棟方向に長さを有している。破風下地板２は、屋根１の棟方向の全長に亙って設けられている。破風下地板２は、例えば、木材によって構成される。
【００２０】
なお、図１中の符号９は、棟木を示す。外壁９１の上端は、棟木９に固定されている。また、垂木１２の棟側の端部は、この棟木９に支持されている。
【００２１】
破風下地板２の棟側端部（つまり、上端部）には、図２に示すように、第二開口部２１が設けられている。第二開口部２１は、破風下地板２を貫通している。これにより、第二開口部２１は、建物内空間に通じている。第二開口部２１は、破風下地板２の上縁から下方に向かって矩形状に切り欠いて形成されている。第二開口部２１は、上下方向に幅を有し、棟方向に長さを有している。第二開口部２１の長さは、第一開口部１４の長さと同じ大きさに形成されている。また、第二開口部２１は、軒棟方向において、第一開口部１４と同じ位置に設けられており、これにより、第二開口部２１の開口周縁と第一開口部１４の開口周縁とは連続している。
【００２２】
破風板３は、図１に示すように、破風下地板２に沿うようにして、当該破風下地板２に固定される。破風板３は、上下方向に幅を有し、棟方向に長さを有している。破風板３の長さは、破風下地板２の長さと略同じ大きさに形成されている。破風板３の幅方向の下方側の端部（下端部）は、建物側斜め上方に向かって折り返されている。
【００２３】
本実施形態の片流れ屋根には、棟に棟換気部４が設けられている。棟換気部４は、建物内空間の空気を建物外の空間に流通させて換気するために設けられている。棟換気部４は、水切り部５と、棟カバー７と、第一換気口７５と、第二換気口７６とを備えている。
【００２４】
水切り部５は、棟カバー７内に取り付けられる。水切り部５は、屋根側水切り５６と、壁側水切り６０と、開口部カバー５１とを備えている。
【００２５】
開口部カバー５１は、第一開口部１４と第二開口部２１とを覆う。開口部カバー５１は、第一開口部１４上に配置される第一カバー５２と、第二開口部２１と重なる位置に配置される第二カバー５４とを備えている。第一カバー５２の上端と第二カバー５４の上端とは、相互に連結されている。第一カバー５２の軒側の端部は、第一開口部１４の開口周縁部に固定されている。第二カバー５４の下方側の端部は、壁側水切り６０を介して、破風下地板２に固定されている。第一カバー５２には、第１の貫通孔５３が複数設けられている。第１の貫通孔５３は、建物内空間と建物外の空間とを通じさせる。また、第二カバー５４には第２の貫通孔５５が複数設けられている。第２の貫通孔５５は、第１の貫通孔５３と同様、建物内空間と建物外の空間とを通じさせる。
【００２６】
屋根側水切り５６は、複数の止水部を有している。屋根側水切り５６は、止水部として、第１の止水部５７と、第２の止水部５８と、覆い部５９とを備えている。第１の止水部５７は、第２の止水部５８よりも軒側に設けられている。また、第２の止水部５８は、覆い部５９よりも軒側に設けられている。
【００２７】
第１の止水部５７は、棟面戸６５によって構成されている。棟面戸６５は、凹凸屋根材の凹部内にはめ込まれる第一立板部６６と、凸部の上面に載せられる第二立板部６７とを備えている。第二立板部６７は、屋根側水切り５６の棟方向の全長に亙って連続するようにして形成される。第２の止水部５８は、屋根面に対して直角な方向の上方に向かって突出している。覆い部５９は、断面略Ｌ字状に形成されており、第１の貫通孔５３を覆うようにして取り付けられる。
【００２８】
壁側水切り６０は、複数の止水部を有している。壁側水切り６０は、止水部として、第一止水板６１と、第二止水板６２と、第三止水板６３と、覆い板６４とを備えている。第一止水板６１は、第二止水板６２よりも下方に設けられている。第二止水板６２は、第三止水板６３よりも下方に設けられている。
【００２９】
第一止水板６１および第三止水板６３は、破風板３の側面に固定されている。第一止水板６１および第三止水板６３は、破風板３から水平方向に突出している。第二止水板６２は、後述のブラケット７４に架設されている。また、覆い板６４は、断面略Ｌ字状に形成されている。覆い板６４の下端部は、開口部カバー５１の第二カバー５４に固定されている。覆い板６４は、第２の貫通孔５５を覆うようにして取り付けられる。
【００３０】
棟カバー７は、屋根材１５の棟側端部と、破風板３とに重なるようにして取り付けられる。棟カバー７は、断面Ｌ字状に形成されている。棟カバー７の軒側の端部には、下方に突出する下突出片７１が設けられている。また、棟カバー７の壁側の端部には、水平方向の建物側に突出する横突出片７２が設けられている。
【００３１】
棟カバー７は、野地板１３に固定された第１のブラケット７３と、破風下地板２に固定された第２のブラケット７４とによって、支持固定されている。なお、第１のブラケット７３及び第２のブラケット７４は、帯状に形成されたものであり、棟方向に複数並ぶようにして取り付けられる。
【００３２】
この棟カバー７の屋根材１５側の端部には、第一換気口７５が設けられている。第一換気口７５は、棟カバー７の下突出片７１の下端と屋根材１５との間に形成されている。第一換気口７５は、屋根材１５の上面（屋根面）に沿う方向に開口している。第一換気口７５は、棟換気部４の棟方向の全長に亙って設けられている。第一換気口７５は、野地板１３に形成された第一開口部１４に通じている。この第一換気口７５と第一開口部１４とをつなぐ通気路を第一通気路８１とする。第一通気路８１は、棟カバー７内に設けられている。
【００３３】
棟カバー７の破風板３側の端部には、第二換気口７６が設けられている。第二換気口７６は、棟カバー７の横突出片７２の先端と破風板３との間に形成されている。第二換気口７６は、下方に向かって開口している。第二換気口７６は、棟換気部４の棟方向の全長に亙って設けられている。第二換気口７６は、第二開口部２１に通じている。この第二換気口７６と第二開口部２１とをつなぐ通気路を第二通気路８２とする。第二通気路８２は、棟カバー７内に設けられている。
【００３４】
なお、本実施形態の第一換気口７５は棟カバー７と屋根材１５との間に、第二換気口７６は、棟カバー７と破風板３との間に形成されていたが、この第一換気口７５及び第二換気口７６は、棟カバー７に開口を形成し、この開口によって構成したものであってもよい。
【００３５】
このような構成の棟換気構造において、建物内空間の空気が温度上昇すると、温度が上がった空気が上昇して第一開口部１４および第二開口部２１に至る。すると、その空気は、第一開口部１４側と、第二開口部２１側とに分かれて、各開口部１４，２１を通過する。第一開口部１４を通った空気は、第一通気路８１を通って第一換気口７５に向かって流通し、第一換気口７５を介して外部に放出される。また、第二開口部２１を通った空気は、第二通気路８２を通って第二換気口７６に向かって流通し、第二換気口７６を介して外部に放出される。これにより、建物内空間の換気を行うことができる。
【００３６】
また、昼間等においては、太陽光によって屋根材１５の温度が上昇すると、屋根材１５の凸部内の空気が温度上昇し、それに伴い、温度が上がった空気が凸部内を上昇する。すると、その空気は、棟カバー７内に放出され、第一通気路８１に合流する。その後、その空気は、第一換気口７５から放出される。このとき、凸部の棟側端部の開口から第一換気口７５に向かう空気流れによって、第一開口部１４の近傍に負圧が生じる。これにより、建物側空間の空気が外部に引かれ、換気を促すことになる。
【００３７】
このような棟換気構造は、例えば、次のようにして施工される。
【００３８】
施工者は、図３に示すように、第一開口部１４が形成された野地板１３に屋根材１５を葺く。また、第二開口部２１が形成された破風下地板２に沿って破風板３を取り付ける。
【００３９】
次いで施工者は、図４に示すように、第一開口部１４および第二開口部２１を覆うようにして、水切り部５を設置する。このとき、施工者は、第一開口部１４および第二開口部２１の棟方向の長さに応じて、水切り部５を単数または複数設置する。なお、図中の符号６８は、配線引き込み用の開口であり、符号６９は、この配線引き込み用の開口を覆う蓋部である。
【００４０】
次いで施工者は、図５に示すように、水切り部５を覆うようにして、棟カバー７を設置する。なお、本実施形態の棟カバー７は、図５中の中央に設けられたものであり、その他の棟カバー７７は、棟換気部４を構成しない通常の棟カバーである。なお、これら棟カバー７，７７は、棟方向の全長に亙って設置される。
【００４１】
以上、説明したように、本実施形態の棟換気構造は、片流れ屋根の換気構造である。片流れ屋根は、野地板１３の棟側端部に破風下地板２が設けられている。また、片流れ屋根は、野地板１３の上に屋根材１５が取り付けられ、且つ破風下地板２に沿って破風板３が取り付けられる。片流れ屋根は、屋根材１５と破風板３とに重なるようにして棟カバー７が取り付けられる。この棟換気構造は、野地板１３の棟側端部に設けられた第一開口部１４と、破風下地板２の棟側端部に設けられた第二開口部２１とを備えている。第一開口部１４および第二開口部２１は、いずれも建物内空間に通じている。また、棟換気構造は、棟カバー７の屋根材１５側の端部に設けられた第一換気口７５と、棟カバー７の破風板３側の端部に設けられた第二換気口７６とを備えている。第一換気口７５は、第一開口部１４に通じている。第二換気口７６は、第二開口部２１に通じている。そして、棟カバー７内に、第一開口部１４から第一換気口７５に向かって空気が流通する第一通気路８１と、第二開口部２１から第二換気口７６に向かって空気が流通する第二通気路８２とが設けられている。
【００４２】
このため、本実施形態の棟換気構造によれば、野地板１３の第一開口部１４に加えて、破風下地板２に第二開口部２１が設けられているため、建物内空間と建物外の空間との間で、十分に換気することができる。
【００４３】
一般に、切妻屋根や寄棟屋根等の両流れ屋根は、棟の両側の野地板１３にそれぞれ開口部を設けることで、簡単に換気量を確保することができるが、片流れ屋根は、棟の一方に野地板１３が存在するのみであるため、換気のための開口が形成しにくい。これに対し、本実施形態の棟換気構造は、野地板１３に形成された第一開口部１４に加えて、破風下地板２に第二開口部２１が設けられたため、両流れ屋根に相当する換気量を確保することができるようになる。
【００４４】
また、本実施形態の棟換気構造は、第二開口部２１と第二換気口７６との間に、複数の止水部を有する壁側水切り６０が設けられている。このため、仮に、外壁９１に沿って上昇気流が生じても、第二換気口７６から雨水が浸水するのを抑制することができる。
【符号の説明】
【００４５】
１      屋根
１１    屋根下地
１２    垂木
１３    野地板
１４    第一開口部
１５    屋根材
２      破風下地板
２１    第二開口部
３      破風板
４      棟換気部
５      水切り部
５１    開口部カバー
５６    屋根側水切り
５７    第１の止水部
５８    第２の止水部
５９    覆い部
６０    壁側水切り
６１    第一止水板
６２    第二止水板
６３    第三止水板
６４    覆い板
７      棟カバー
７１    下突出片
７２    横突出片
７５    第一換気口
７６    第二換気口
８１    第一通気路
８２    第二通気路
【図１】
2015068095.tif 000003
【図２】
2015068095.tif 000004
【図３】
2015068095.tif 000005
【図４】
2015068095.tif 000006
【図５】
2015068095.tif 000007